(57)【要約】【課題】  発呼端と受信端との間でＭＳＮプラットホームを用いた電話会話を確立する。【解決手段】  会話を構築するために、発呼端、受信端それぞれのユーザーアカウントを要求する。ＭＳＮプラットホームは発呼端、受信端の両側で起動されログオンされる。発呼端ではＭＳＮプラットホームを介して受信端と通信を確立するためにダイヤルアップが行われる。ダイヤルメッセージを受け取ると受信端で待機信号を生成する。応答信号がＭＳＮプラットホームを介し発呼端に受信端から送信されたときに通信が開始される。一方、失敗信号は発呼端で表示される。【選択図】            図３
2006101222.tif 000002
【特許請求の範囲】
【請求項１】
発呼端と受信端との間でＭＳＮプラットホームを用いた電話会話を確立する方法であって、
発呼端、受信端それぞれのユーザーアカウントを取得する段階と、
発呼端、受信端の両側でＭＳＮプラットホームにログオンする段階と、
ＭＳＮプラットホームを介して受信端との通信を確立するために発呼端でダイヤルする段階と、
受信端で待機信号を生成する段階と、
応答信号がＭＳＮプラットホームを介して受信端から送信されたときに通信を開始する段階と、
応答信号が受信端から送信されなかったときには失敗信号を生成する段階と、
を含むことを特徴とするＭＳＮプラットホームのネットワークワイヤレス電話システム。
【請求項２】
受信端でユーザーアカウントを入力する段階をさらに含むことを特徴とする請求項1に記載のネットワークワイヤレス電話システム。
【請求項３】
発呼端でダイヤルする段階は、
ワイヤレス信号を生成するために通信ユニットにダイヤルアップする段階と、
ＭＳＮプラットホームにワイヤレス信号を送信する段階と、
を含むことを特徴とする請求項１に記載のネットワークワイヤレス電話システム。
【請求項４】
通信ユニットは、ワイヤレス電話セットまたは有線電話を含むことを特徴とする請求項３に記載のネットワークワイヤレス電話システム。
【請求項５】
ワイヤレス信号をＭＳＮプラットホームが読み込めるフォーマットに変換する段階をさらに含むことを特徴とする請求項３に記載のネットワークワイヤレス電話システム。
【請求項６】
受信端においてＭＳＮプラットホームに入力すべき信号を生成する段階をさらに含むことを特徴とする請求項３に記載のネットワークワイヤレス電話システム。
【請求項７】
入力すべき信号を識別する段階をさらに含むことを特徴とする請求項６に記載のネットワークワイヤレス電話システム。
【請求項８】
入力すべき信号によって伝送されたテキストメッセージを表示するステップをさらに含むことを特徴とする請求項７に記載のネットワークワイヤレス電話システム。
【請求項９】
ワイヤレス信号通信ユニットを有する通信ユニットと、
内蔵されたＭＳＮ通信プラットホームと、通信ユニットのワイヤレス信号通信ユニットにまたはワイヤレス信号通信ユニットからのワイヤレス信号を送受信する内蔵されたトランシーバー制御装置とを有するコンピュータシステムと、
コンピュータシステムに接続されたネットワークシステムと、
を有することを特徴とするＭＳＮプラットホームワイヤレスネットワークシステム。
【請求項１０】
通信ユニットは、ワイヤレス電話、有線電話または携帯電話のいずれかを有することを特徴とする請求項９に記載のＭＳＮプラットホームワイヤレスネットワークシステム。
【請求項１１】
通信ユニットは、
ワイヤレス信号通信ユニットに接続された信号処理ユニットと、
信号処理ユニットに接続された通信ユニットインターフェースと、
を有することを特徴とする請求項９に記載のＭＳＮプラットホームワイヤレスネットワークシステム。
【請求項１２】
トランシーバー制御装置は、接続ポートを介してコンピュータシステムに接続されていることを特徴とする請求項９に記載のＭＳＮプラットホームワイヤレスネットワークシステム。
【請求項１３】
接続ポートはＵＳＢポートを含むことを特徴とする請求項１２に記載のＭＳＮプラットホームワイヤレスネットワークシステム。
【請求項１４】
トランシーバー制御装置は、
ワイヤレス信号通信ユニットと、
信号処理ユニットと、
を有することを特徴とする請求項９に記載のＭＳＮプラットホームワイヤレスネットワークシステム。
【請求項１５】
トランシーバー制御装置はワイヤレスアクセスポイントを有することを特徴とする請求項９に記載のＭＳＮプラットホームワイヤレスネットワークシステム。
【発明の詳細な説明】
【技術分野】
【０００１】
本発明は、概略、ＭＳＮ通信プラットホームおよびワイヤレス電話通信の組み合わせに関するものであり、さらに具体的には、ＭＳＮ通信プラットホームによって構築されたワイヤレス通信手段に関するものである。
【背景技術】
【０００２】
コンピュータシステムのＭＳＮ通信プラットホームが起動したときには、通信ユニットとコンピュータシステムとの間のプラットホームコネクションにワイヤレス信号伝送技術が使用される。
【０００３】
送話者と受話者との間の電話通信は、接続されたあるいはワイヤレスのコネクションのいずれかによって構築される。そのような通信技術は１０年間に渡って広く適用されてきた。主として、電話通信は、電話ラインによって構築され、通信信号は電話交換装置によって処理される。コンピュータネットワークと比較して電話通信のコストは現在のところまだ高い。
【０００４】
一方、ネットワークはだんだんとポピュラーになりつつあり、ＭＳＮ通信プラットホームは次第に通信の趨勢になりつつある。ＭＳＮ通信プラットホームではテキストメッセージとリアルタイムの会話に応じることができる。
【発明の開示】
【発明が解決しようとする課題】
【０００５】
ところが、従来のＭＳＮ通信プラットホームでは、ユーザーはテキストメッセージを読みためにコンピュータシステムの前にいなければならず、タイプすることでメッセージを返信しなければならず、また、会話のためイヤホーンまたはスピーカーをコンピュータシステムに電気的に接続しなければならない。コンピュータシステムがユーザーの手の届くところにない場合、ユーザーは他の話者と会話するためＭＳＮ通信を使用することができない。
【０００６】
本発明は、以上のような従来の技術の問題点を解消するために成されたものであり、発呼端と受信端との間でＭＳＮプラットホームを用いた電話会話を確立する方法と、通信ユニット、コンピュータシステムおよびネットワークシステムを有するＭＳＮプラットホームワイヤレスネットワークシステムを提供することを目的とする。
【課題を解決するための手段】
【０００７】
上記の目的を達成するための本発明に係るＭＳＮプラットホームのネットワークワイヤレス電話システムは、発呼端と受信端との間でＭＳＮプラットホームを用いた電話会話を確立する方法であって、発呼端、受信端それぞれのユーザーアカウントを取得する段階と、発呼端、受信端の両側でＭＳＮプラットホームにログオンする段階と、ＭＳＮプラットホームを介して受信端との通信を確立するために発呼端でダイヤルする段階と、受信端で待機信号を生成する段階と、応答信号がＭＳＮプラットホームを介して受信端から送信されたときに通信を開始する段階と、応答信号が受信端から送信されなかったときには失敗信号を生成する段階と、を含むことを特徴とする。
【０００８】
会話を行うために、発呼端、受信端それぞれのユーザーアカウントを要求する。ＭＳＮプラットホームは発呼端、受信端の両側で起動されログオンされる。発呼端ではＭＳＮプラットホームを介して受信端と通信を確立するためにダイヤルアップが行われる。ダイヤルメッセージを受け取ると受信端で待機信号を生成する。応答信号がＭＳＮプラットホームを介し受信端から発呼端に送信されたときに通信が開始される。一方、失敗信号は発呼端で表示される。
【０００９】
また、上記の目的を達成するための本発明に係るＭＳＮプラットホームワイヤレスネットワークシステムは、ワイヤレス信号通信ユニットを有する通信ユニットと、内蔵されたＭＳＮ通信プラットホームと、通信ユニットのワイヤレス信号通信ユニットにまたはワイヤレス信号通信ユニットからのワイヤレス信号を送受信する内蔵されたトランシーバー制御装置とを有するコンピュータシステムと、コンピュータシステムに接続されたネットワークシステムと、を有することを特徴とする。
【００１０】
通信ユニットはワイヤレス信号通信ユニットを有し、コンピュータシステムはＭＳＮ通信プラットホームが搭載され、通信ユニットのワイヤレス信号通信ユニットにまたはワイヤレス信号通信ユニットからワイヤレス信号を送受信する内蔵されたトランシーバー制御装置を有する。コンピュータシステムはネットワークシステムに接続される。
【００１１】
１つの実施形態において、通信ユニットはワイヤレス電話、有線電話または携帯電話を含んでいる。通信ユニットは、ワイヤレス信号通信ユニットに接続された信号処理装置と信号処理装置に接続された通信ユニットインターフェースとを有している。トランシーバー制御装置はＵＳＢポートのような接続ポートを介してコンピュータシステムに接続されている。むしろ、トランシーバー制御装置はワイヤレス信号通信ユニットと信号処理ユニットとからなる。トランシーバー制御装置はワイヤレスアクセスポイントを有している。
【発明の効果】
【００１２】
以上の構成によれば、ワイヤレスに電話会話を確立することができ、コンピュータシステムがユーザーの手の届くところにない場合でも、ユーザーは他の話者と会話するためＭＳＮ通信を使用することができる。
【発明を実施するための最良の形態】
【００１３】
本発明に係るネットワークワイヤレス電話システムおよびＭＳＮプラットホームワイヤレスネットワークシステムは、添付の図面に基づいて詳細に説明される。しかしながら、下記の説明は、本発明の理解を容易にするために記載されたものであって、この記載に基づいて特許請求の範囲の技術的範囲が解釈されるものではない。
【００１４】
以下、図面に基づいて本発明の一実施形態を詳細に説明する。
【００１５】
図１に示すように、ＭＳＮワイヤレスネットワーク電話システムは、具体的には、コンピュータシステム１、信号トランシーバー制御装置２、通信ユニット３および信号トランシーバー４を備えている。コンピュータシステム１は、信号の送信を行うためにＭＳＮ通信プラットホーム１１を介してネットワークシステム５に接続されている。ワイヤレス通信は信号トランシーバー制御装置２と信号トランシーバー４との間で行われる。
【００１６】
本実施形態では、コンピュータシステム１は、パーソナルコンピュータまたはサーバーといったコンピュータ装置を含み、発呼側と応答側にディスプレイ及び入力ユニットを有している。ＭＳＮ通信プラットホーム１１は送信相手と受信相手間でリアルタイムメッセージ通信が可能となるようにコンピュータシステム１をネットワークシステム５に接続するためコンピュータシステム１内に通信プラットホームがインストールされている。
【００１７】
信号トランシーバー制御装置２は、接続ポート２１を介してコンピュータシステム１に接続されている。接続ポート２１は種々のタイプまたは標準的なものを使用することができる。本実施形態においては、接続ポート２１にはＵＳＢポートが含まれる。信号トランシーバー制御装置２は、ＭＳＮ通信プラットホーム１１によって送られたメッセージを処理してワイヤレス信号に変換するための信号処理ユニット２２を有し、それはワイヤレス信号通信ユニット２３によって送信される。ワイヤレス信号通信ユニット２３はまたワイヤレス信号を受信するために動作しそれを信号処理ユニット２２に送り込む。ワイヤレス信号はＭＳＮ通信プラットホーム１１が読めるフォーマットに変換され、ＭＳＮ通信プラットホーム１１を介してネットワークシステム５の他端に送信される。信号トランシーバー制御装置２は、たとえばワイヤレスアクセスポイントを含む。
【００１８】
通信ユニット３は、コンピュータシステム１の許容範囲内で送信相手または受信相手の移動性を許すワイヤレス電話を含む。通信ユニット３は、固定ワイヤレス電話または固定有線電話またはコンピュータシステム１に直接接続されたイヤホンタイプの通信ユニットを含む。
【００１９】
通信ユニット３に電気的に接続される信号トランシーバー４は、通信ユニットインターフェース４１、信号処理ユニット４２そしてワイヤレス信号通信ユニット４３を含む。通信ユニットインターフェース４１は、ワイヤレス信号通信ユニット４３が受信した信号トランシーバー制御装置２のワイヤレス信号通信ユニット２３から伝送されてきた信号を、信号処理ユニット４２を介して受信する。信号処理ユニット４２は、一端にワイヤレス信号通信ユニット４３が接続され、他端に通信ユニットインターフェース４１が接続される。ワイヤレス信号通信ユニット４３または通信ユニットインターフェース４１から入力された信号は通信ユニット３とＭＳＮ通信プラットホーム１１が読めるフォーマットにそれぞれ処理、変換される。処理された信号は通信ユニット３またはＭＳＮ通信プラットホーム１１に送信される。信号処理ユニット４２によって処理された信号は通信ユニットインターフェース４１を介して通信ユニット３に送信される。
【００２０】
図２に示すものは、ネットワークシステムを介してワイヤレス電話通信を実行するためのブロック図であり、通信プラットホームがインストールされている。本実施の形態においては、ワイヤレス電話は受信端（受信相手）と発呼端（送信相手）の両方で使用される。両側のネットワークシステム５およびＭＳＮ通信プラットホーム１１、１１’を通じてリアルタイムのメッセージの通信を確立することができる。発呼端と受信端はコンピュータシステム１、１’、信号通信制御装置２、２’、通信ユニット３、３’および信号トランシーバー４、４’をそれぞれ含み、会話を確立する。
【００２１】
ネットワークを介して電話通信を確立する図３に示すような方法がインストールされている。通話を開始するために、送信相手と受信相手のそれぞれがＭＳＮ通信プラットホーム１１にサインアップし、ステップ６００、６００’においてユーザーアカウントを照会する。ステップ６０２において送信相手のコンピュータシステム１がネットワークシステムに接続されると、ＭＳＮリアルタイム通信プログラムが起動されステップ６０３においてログオンされる。受信相手も同様の処理が行われてオンライン状態となる。そして、コンピュータシステム１’はネットワークシステム５に接続され、ＭＳＮ通信プラットホーム１１’が起動されログオンされる。それによって、発呼端と受信端のＭＳＮ通信プラットホーム１１、１１’間の接続が確立される。会話が開始されると、送信相手は信号トランシーバー４を介してコンピュータシステム１の信号トランシーバー制御装置２に接続信号を送るため通信ユニット３を起動させる。その信号はステップ６０５において通信ユニット３とコンピュータシステム１間に送信される。通信端は、番号をダイヤルし、ステップ６０６において接続をするために受信端のＭＳＮアカウントを入力する。
【００２２】
受信端のＭＳＮアカウントが通信ユニット３によって入力され、信号トランシーバー４を介してコンピュータシステム１に送信されると、入力されるメッセージがステップ６０７のように、受信端ではネットワークシステムを介してＭＳＮ通信プラットホーム１１’によって受信される。入力される信号はＭＳＮ通信プラットホーム１１’によって確認される。ＭＳＮ通信プラットホーム１１’が、入力された信号がテキストメッセージであることを確認すると、そのテキストメッセージは受信側のコンピュータシステム１’のスクリーンまたはモニターに表示される。入力されたメッセージが会話の要求または電話による回答の要求であるときには、入力されるメッセージは呼び出し信号のような信号に変換され、ワイヤレス通信によって通信ユニット３に送信される。さまざまな種類の呼び出し音、バイブレーションまたは注意を喚起するものは送信相手を確認するために通信ユニット３’によって生成される。ユーザーはそのときにその呼び出しに応答すべきか否かを決めることができる。送信相手と受信相手との間の通信は、ステップ６１４においてＭＳＮ通信プラットホーム１１、１１’を介して行われる。受信端で接続ができずまたは回答を拒んだときには、送信相手のコンピュータシステム１が接続失敗のメッセージを表示する。
【００２３】
以上、実施の形態に基づいて本発明を詳細に説明したが、当業者であれば、特許請求の範囲の記載されている発明の技術的思想の範囲内において、本発明の精神とその範囲を逸脱することなく種々の改変が可能である。
【産業上の利用可能性】
【００２４】
本発明によれば、ＭＳＮ通信をより有効に使用することができるようになる。
【図面の簡単な説明】
【００２５】
【図１】ワイヤレスネットワーク電話のブロック図である。
【図２】ワイヤレスネットワーク通信システムのブロック図である。
【図３】ネットワーク通信を形成する方法を示すフローチャートである。
【符号の説明】
【００２６】
１、１’    コンピュータシステム、
２、２’    信号トランシーバー制御装置、
３、３’    通信ユニット、
４、４’    信号トランシーバー、
５    ネットワークシステム、
１１、１１’    ＭＳＮ通信プラットホーム。
【図１】
2006101222.tif 000003
【図２】
2006101222.tif 000004
【図３】
2006101222.tif 000005